(57)【要約】【課題】外装カバーの開放時においても表示部を容易に参照できる電気機器を提供する。【解決手段】動作状況又は操作内容等を表示する表示面２４を有する表示部２０と、開閉可能な外装カバー１２と、表示部２０の表示面２４を外装カバー１２が開放されて形成される外装カバーの内側の空間ＯＳを指向するように表示部２０を変位させる表示部変位手段３４を備えるようにする。【選択図】    図４
2006264281.tif 000002
【特許請求の範囲】
【請求項１】
電気機器であって、
動作状況又は操作内容等を表示する表示面を有する表示部と、
開閉可能な外装カバーと、
前記表示部の前記表示面を前記外装カバーが開放されて形成される前記外装カバーの内側の空間を指向するように前記表示部を変位させる表示部変位手段と、
を備えている、電気機器。
【請求項２】
前記表示部は、前記外装カバーに備えられている、請求項１に記載の電気機器。
【請求項３】
前記表示部変位手段は、前記表示部を方向変換させる方向変換手段である、請求項１又は２に記載の電気機器。
【請求項４】
前記方向変換手段は、前記外装カバーの開放に連動して前記表示部を方向変換させる手段である、請求項３に記載の電気機器。
【請求項５】
前記方向変換手段は、前記表示部を回転させる手段である、請求項３又は４に記載の電気機器。
【請求項６】
前記表示部変位手段は、前記電気機器本体から分離可能に備えられる前記表示部と、分離した前記表示部の表面を前記外装カバーが開放されて形成される前記外装カバーの内側の空間を指向するようにして前記表示部を保持する保持手段とを備える、請求項１又は２に記載の電気機器。
【請求項７】
前記外装カバーは前記電気機器の上部の少なくとも一部を被覆し、該外装カバーを回動により開閉する開閉手段を備える、請求項１〜６のいずれかに記載の電気機器。
【請求項８】
前記表示部の前記表示面が、前記外装カバーが開放されて形成される前記外装カバーの内側の空間を指向して変位された状態で前記外装カバーが閉じられるのを抑止する閉鎖抑止手段を備える、請求項１〜７のいずれかに記載の電気機器。
【請求項９】
前記電気機器は、画像形成、画像複写、画像読取及び画像送信から選択される１種又は２種以上の機能を備える電気機器である、請求項１〜８のいずれかに記載の電気機器。
【発明の詳細な説明】
【技術分野】
【０００１】
本発明は、作動状態や操作の選択内容等を表示する表示部を有する電気機器に関し、詳しくは、電気機器の外装カバーの開放時に表示部又はそのパネル面の位置を変更可能に備える電気機器に関する。
【背景技術】
【０００２】
従来、プリンタやファクスなどの画像形成装置やスキャナのような画像読み取り装置のような電気機器においては、現在の動作状況や選択可能な操作内容などを表示する表示部を備えている。こうした表示部のパネルをユーザに見やすいように角度調整可能に設けたものがある（特許文献１）。また、表示部を装置本体から分離して独立して着脱可能に設けたものもある（特許文献２）。また、表示部は、外装カバーに一体化されている場合もある。
【特許文献１】特開２００４−１９８７４１
【特許文献１】特開２００３−１４３３３９
【発明の開示】
【発明が解決しようとする課題】
【０００３】
これらの機器では、必要時には、その外装カバーを容易に開放して駆動部分などにおける不具合を確認したり解消したりできるようになっている。しかしながら、このような外装パネルを開放中には、開いた外装パネルの内側でユーザ又は操作者が操作することになる。一方、上記したような表示部の角度調整や表示部の分離移動は、外装パネルが開放された状態での表示面の視認性確保を意図していないし、また、外装パネルが開放時に視認しやすい位置に移動可能となる構成も記載されていない。さらに、表示部は、外装カバーに一体化されていることもあり、このような場合、表示部は開放した外装カバーの内側にいるユーザからは全く見えなくなってしまっている。
【０００４】
そこで、本発明は、外装カバーの開放時においても表示部を容易に参照できる電気機器を提供することを一つの目的とする。また、本発明は、表示部が外装カバーに一体化されている場合において、外装カバーの開放時において表示部を容易に参照できる電気機器を提供することを他の一つの目的とする。
【課題を解決するための手段】
【０００５】
本発明によれば、上記した課題の少なくとも一つを解決するものとして、以下の手段が提供される。
【０００６】
本発明の電気機器は、
動作状況又は操作内容等を表示する表示面を有する表示部と、
開閉可能な外装カバーと、
前記表示部の前記表示面を前記外装カバーが開放されて形成される前記外装カバーの内側の空間を指向するように前記表示部を変位させる表示部変位手段と、
を備えることを要旨とする。
【０００７】
本発明の電気機器によれば、外装カバーが開放されたときにでも、表示部は、その表示面が、外装カバーが開放されて形成される外装カバーの内側の空間を指向するように変位される。このため、外装カバーを開放して電気機器内部のメンテナンス等を行うときであっても、容易に表示部を参照できる。この結果、外装カバーを開放した状態でも表示部を参照しつつ作業を進めたり確認したりすることができる。
【０００８】
前記表示部は、前記外装カバーに備えられていてもよい。外装カバーに表示部を備える場合には、外装カバー開放時には外装カバーの外面を確認せねばならず表示部を参照するのが面倒であったので、本発明を適用することが有効である。
【０００９】
また、前記表示面変位手段は、前記表示部を方向変換させる手段とすることができる。こうすることで、容易に表示面を前記開放空間側に指向させることができる。なお、開放空間から認識しやすいように、表示面において文字等の表示を上下及び／又は左右反転させることができる。
【００１０】
前記方向変換手段は、前記外装カバーの開放に連動して前記表示部を方向変換させる手段とすることができる。外装カバーの開放に連動して表示部を方向変換させることで、外装カバーを開放すれば必ず表示部が容易に参照できる状態になるため、都合がよい。
【００１１】
また、前記方向変換手段は、前記表示部を回転させる手段とすることができる。こうすることで、簡易に表示部の表示面を前記空間側に指向させることができる。
【００１２】
さらに、前記表示部変位手段は、前記電気機器本体から分離可能に備えられる前記表示部と、分離した前記表示部の表面を前記外装カバーが開放されて形成される前記外装カバーの内側の空間を指向するようにして前記表示部を保持する保持手段とを備えることもできる。こうすることでも、容易に前記空間側に表示面を指向させることができる。
【００１３】
前記外装カバーは前記電気機器の上部の少なくとも一部を被覆し、該外装カバーを回動により開閉する開閉手段を備えることができる。こうした開閉手段を備える場合に、表示部の表示面が参照しにくくなることが多いため、本発明を適用することが有効である。また、こうした外装カバー開閉手段を備える外装カバーに表示部が装着された場合に、本発明を適用することが一層有効である。
【００１４】
前記表示部の前記表示面が、前記外装カバーが開放されて形成される前記外装カバーの内側の空間を指向して変位された状態で前記外装カバーが閉じられるのを抑止する閉鎖抑止手段を備えることもできる。こうした閉鎖抑止手段を備えることで、外装カバーを閉じたときには必ず表示部を元の状態に復帰させるようにすることができる。また、表示部の意図しない破損を回避できる。
【００１５】
前記電気機器は、画像形成、画像複写、画像読取及び画像送信から選択される１種又は２種以上の機能を備える電気機器であることが好ましい態様である。これらの電気機器においては、紙などの記録媒体や着色剤のメンテナンス等のため、またその構造上の特徴から外装カバーを開放した状態でのメンテナンス等の作業が行われることが多いからである。
【発明を実施するための最良の形態】
【００１６】
次に、本発明の実施の形態について実施例を挙げて説明する。
【実施例１】
【００１７】
図１は、本発明の電気機器としてのカラーレーザプリンタ１０の概略を示す図であり、図２は、操作パネルの装着状態の詳細を示す図であり、図３は、操作パネルを回転させるリンク機構を示す図である。
【００１８】
図１に示すように、プリンタ１０は、その上部中央側から前部を覆ってプリンタ１０上部の幅方向に沿う回動軸１０ａを起点に回動してプリンタ１０の前面側を大きくおおよそ９０°あるいはそれ以上の角度で開閉可能に形成された外装カバー１２を備えている。外装カバー１２の前面１２ａの外表面１３ａ側には、外装カバー１２を開放するための開閉操作部を備えるとともに、プリンタ１０における動作状況、例えば、「印刷中」「印刷可能」であるとかのプリンタ状態を示す表示や、エラーが発生したときなどのエラー識別番号などが表示される液晶パネル２４と該液晶パネルの近傍にはリセットボタン２６やキャンセルボタン２８などの各種の操作ボタンを備えた操作パネル２０を備えている。図２にも示すように、液晶パネル２４には、横書きで各種情報が表示されるようになっており、全体で複数行の表示が可能となっている。
【００１９】
また、液晶パネル２４を含む操作パネル２０は、外装カバー１２の前面部１２ａに形成されたパネル用開口部１４内に回転可能に支持されている。開口部１４は、操作パネル２０の外形に沿う開口形状を備えるとともに、その内壁に操作パネル２０の左右から突出された回転軸３０ａ、３０ｂを回転可能に支持する支持凹部１６ａ、１６ｂを備えている。これらの回転軸３０ａ、３０ｂは、外装カバー１２の回動軸１０ａに沿うように構成されている。一方、操作パネル２０の左右から突出させた回転軸３０ａ、３０ｂの一方の軸３０ｂには、液晶パネル２４や操作ボタン類への通電や信号のやり取りをプリンタ１０のコントローラ等と行うための配線を束ねたワイヤハーネス３２が挿通されている。
【００２０】
図３に示すように、操作パネル２０の回転軸３０ｂには、外装カバー１２の回動軸１０ａに連動するリンク機構３４が連結されている。このリンク機構３４は、回動軸１０ａの回転に伴って円盤３６とこの円盤３６に形成された歯部３６ａと歯合する歯部３８ａを備えるスプロケットアーム３８と、このアーム３８の前方側に回動可能に連結された第１アーム４０と、第１アームの先端に回動可能に連結された第２アーム４２とを備えている。第２アーム４２の他端は、回動軸３０ｂに固定されたブラケット３０ｃに回動可能に取り付けられている。
【００２１】
次に、こうして構成された実施例のプリンタ１０の外装カバー１２を開閉する動作について説明する。なお、こうした動作は、例えば、プリンタ１０の紙詰りやトナーチェックのために行われるものである。図４に、プリンタ１０の外装カバー１２の開放に付随する外装カバー１２及び操作パネル２０の動作を示す。
【００２２】
まず、外装カバー１２の前部１２ａの操作部を押さえてロックを解除して外装カバー１２を上方に持ち上げると、図４（ａ）に示すように、操作カバー１２の回動軸１０ａが図４中時計方向に回転する。これにより、円盤３６も回転し、その歯部３６ａと歯合するスプロケットアーム３８がプリンタ１０の前方に繰り出される。スプロケットアーム３８の前端に取り付けられた第１アーム４０の下端が前方にスライドされるとともに、第２アーム４２がブラケット３０ｃを前方側に押し出すため、この結果、ブラケット３０ｃが図４中時計方向に回転され、操作パネル２０が外装カバー１２の回動軸１０ａ側に反転される。
【００２３】
こうしたリンク機構３４により、操作パネル２０は外装カバー１２の開放に連動して回転軸３０ａ、３０ｂにより回転して反転され、この結果、外装カバー１２の内表面に操作パネル２０の表面が提示されることなる（図４（ｂ）参照）。すなわち、操作パネル２０の液晶パネル２４や各種操作ボタン類が外装カバー１２の内表面と開放されたプリンタ１０の上部とで構成される空間ＯＳ(以下、単に開放空間ＯＳともいう。)を指向することになる。
【００２４】
一方、外装カバー１２を閉じる場合には、上記の機構とは逆に、円盤３６が図中反時計方向に回転しこれに連動してスプロケットアーム３８がプリンタ１０の後方に引き込まれることにより、第１アーム４０の下端が後方にスライドされて第２アーム４２はブラケット３０ｃを外装カバー１２の基部方向へ押し戻すように動くため、操作パネル２０は元に戻るように反転する。この結果、外装カバー１２が閉じられたときには、外装カバー１２の外表面に液晶パネル２４や操作ボタン類を提示することができる。
【００２５】
以上説明した実施例によれば、外装カバー１２が開放されたとき、液晶パネル２４が、外装カバー１２が開放されて形成される外装カバー１２の内表面１３ｂと開放されたプリンタ１０の上部とで構成される空間ＯＳを指向するように、操作パネル２０が変位されるようになっている。このため、外装カバー１２を開放してプリンタ１０のメンテナンス等を行うときであっても、容易に液晶パネル２４を参照することができる。したがって、外装カバー１２が開放されているときであっても、液晶パネル２４の内容を確認することができる。このため、メンテナンス等の作業を操作性よく進めることができる。例えば、液晶パネル２４に紙詰り部位が表示される場合などには、移動したり姿勢を変えたりして逐一操作パネル２０を参照することなくメンテナンスや復旧作業を行うことができるのである。
【００２６】
また、従来、操作パネル２０が外装カバー１２に備えられている場合、外装カバー１２を開放したとき、開放した外装カバー１２の内側からは全く参照しづらい位置に液晶パネル２４が提示された状態となるが、本実施例によれば、こうした不具合を解消することができる。特に、外装カバー１２に操作パネル２０が備えられていることにより、かえって、外装カバー１２を開放したとき、外装カバー１２の内表面に液晶パネル２４が表示されるため、容易に参照することができる。
【００２７】
また、本実施例によれば、操作パネル２０を回転させることにより方向変換させ、液晶パネル２４を外装カバー１２が開放されて形成される空間ＯＳに指向させることができるようになっている。このため、簡易な構造で外装カバー１２の開放時における液晶パネル２４の視認性を得ることができる。特に、本実施例では、操作パネル２０の文字列の上端側が外装カバー１２の回動軸１０ａ側に位置されているため、外装カバー１２が回動すると、そのままでは、操作パネル２０は上下逆さまの状態となり、液晶パネル２４の文字も上下逆さまの状態となる。本実施例では、こうして逆さまになった操作パネル２０を回動軸１０ａに沿って約１８０°回転させるだけで、液晶パネル２４を正しい方向性で開放空間に指向させることができるようになっている。
【００２８】
また、本実施例によれば、外装カバー１２の開放に連動して操作パネル２０を方向変換させるようなリンク機構３４を備えているため、外装カバー１２を開放すれば必ず液晶パネル２４を開放空間側に指向させることができる。特に、本実施例では、リンク機構３４により、外装カバー１２を閉じるときも、これに連動して、操作パネル２０が方向変換されて外装カバー１２の外表面に液晶パネル２４が表示されるようになっているため、誤って液晶パネル２４を回転させたままで外装カバー１２を閉じることが回避されている。
【００２９】
また、本実施例によれば、外装カバー１２はプリンタ１０の上部の少なくとも一部を被覆し、外装カバー１２を回動により開閉するように回動軸１０ａを備えている。こうした構成は、従来、プリンタ１０等の紙詰りなどのメンテナンスには都合がよいがプリンタ１０の上方から作業を行うために操作パネル２０が参照しづらいものであったが、本実施例によれば、こうした作業時にも操作パネル２０を常に参照出来るため、効率的な作業が可能となっている。
本実施例では、操作パネル２０の全体を変位させて開放空間ＯＳ側に液晶パネル２４を指向させ提示させるとともに、各種の操作ボタン類も開放空間ＯＳ側に指向させ提示させるものとしたため、こうした操作ボタン類も操作することができる。
【００３０】
ここで、本実施例においては、プリンタ１０が本発明の電気機器に相当し、操作パネル２０が本発明の表示部に相当し、液晶パネル２４が本発明の表示面に相当し、開放空間ＯＳが、本発明の外装カバーが開放されて形成される前記外装カバーの内側の空間に相当する。また、操作パネル２０が備える回転軸３０ａ、３０ｂが本発明の表示部変位手段及び方向変換手段に相当し、リンク機構３４が本発明における外装カバーの開放に連動して前記表示部を方向変換させる方向変換手段に相当し、回動軸１０ａが本発明の外装カバー開閉手段に相当する。
【００３１】
なお、本実施例では、操作パネル２０を回動軸１０ａに沿って開口部１４内で回転させることで液晶パネル２４を開放空間ＯＳ側に指向させるものとしたが、これに限定するものではない。たとえば、図５に示すように開口部１５内で外装カバー１２の回動軸１０ａと直交するような回転軸４０ａ、４０ｂを設けて回転させることができる。例えば、本実施例においてこうした回転形態を採るときには、外装カバー１２を開放して、操作パネル２０を回転させたときには、液晶パネル２４の表示内容（横書きのとき）は上下逆さま及び左右が逆の状態となっているため、液晶表示内容を上下及び左右について反転させる表示制御を行う必要がある。こうした表示制御は、たとえば、回転軸４０ａ、４０ｂの回転を検知してあるいは、こうした操作パネル２０の回転を外装カバー１２の開放に連動させる場合には、外装カバー１２の開放動作を検知して行うようにすることができる。
【００３２】
また、本実施例では、操作パネル２０の変位を外装カバー１２の開放及び／又は閉鎖に連動させるものとしたが、これに限定するものではなく、手動で操作パネル２０を変位させるようにしてもよい。外装カバー１２の開放毎に操作パネル２０を開放空間ＯＳ側に指向させる必要がない場合もあるからである。この場合には、リンク機構３４は不要となり、構造的な複雑化を排除できる。
【００３３】
本実施例では、リンク機構３４により外装カバー１２の開閉に操作パネル２０の回転を連動させることとしたが、これに限定するものではなく、連動のための機構は従来公知の機械的及び／又は電気的機構によるものを包含する。当業者は、こうした連動機構を容易に構築できる。また、本実施例では、外装カバー１２の回動軸１０ａの回転に連動させて操作パネル２０の回転を連動させたが、外装カバー１２の開閉のための他の操作、例えば、操作部におけるロック解除及びロック操作に連動させてもよい。
【００３４】
本実施例では、リンク機構３４を設けて外装カバー１２の開閉に操作パネル２０の回転を連動させたが、操作パネル２０を手動等により行う場合には、操作パネル２０が回転されたままの状態で外装カバー１２が閉じられることを防止する抑止手段を設けることができる。こうした抑止手段によって、操作パネル２０の破損を回避できる。こうした抑止手段も特に限定しないが、例えば、ギア機構により操作パネル２０の回転によって開放空間ＯＳ側に所定量突出される起状体を形成しておくことができる。操作パネル２０が回転されたままの状態で外装カバー１２が閉じられると、この突起状体がプリンタ１０の内部の予め定めた箇所に当接されて外装カバー１２が閉じることができない構成とすればよい。操作パネル２０の液晶パネル２４を正しく元に戻すように回転させれば突起状体が突出しないように収納されるため、外装カバー１２を閉じることができる。
【００３５】
本実施例では、操作パネル２０の全体を変位させて開放空間ＯＳ側に液晶パネル２４を指向させ提示させるとともに、各種の操作ボタン類も開放空間ＯＳ側に指向させ提示させるものとしたが、液晶パネル２４のみを変位させるものであればよい。
【実施例２】
【００３６】
次に、本発明の他の実施例として、操作パネルを移動可能に設けた例について説明する。実施例１の変形例について説明する。なお、実施例２におけるカラーレーザプリンタの構成は、操作パネルの設置形態を除いた基本的構成は、実施例１のプリンタ１０と同一である。したがって、以下の説明においては本実施例の特徴部以外については実施例１と同一の符号を付して説明するものとする。図６及び図７には、本実施例のプリンタ１００における外装カバー１１２の開放状態及び閉じた状態における操作パネル１２０の配置について示す。
【００３７】
図６に示すように、本実施例のプリンタ１００では、外装カバー１１２に設けた凹部１１４に操作パネル１２０がはめ込まれている。凹部１１４は、操作パネル１２０の全体を収納できる大きさを備えている。
【００３８】
凹部１１４は、操作パネル１２０を２つの形態で保持可能でしかも分離可能な嵌合構造を有している。すなわち、凹部１１４は、操作パネル１２０の全体を凹部１１４に固定できるように操作パネル１２０を嵌合可能な図示しない嵌合構造を備えている。この嵌合構造によれば、操作パネル１２０の液晶パネル２４等が外装カバー１１２の外表面に提示されるようになっている。第１の嵌合構造は、プリンタ１００の通常使用時、すなわち、外装カバー１１２を開放していない状態での保持形態を構成する。
【００３９】
また、プリンタ１００には、操作パネル１２０を保持可能な凹部１１５を別途備えている。この凹部１１５は、外装カバー１１２を開放したとき露出されるプリンタ１００の内部に形成され、外装カバー１１２を開放時には、外装カバー１１２が開放されて形成される空間ＯＳで液晶パネル２４を指向させることのできる部位となっている。
【００４０】
また、操作パネル１２０は、実施例１の操作パネル２０と同様、液晶パネル２４と該液晶パネルの近傍にはリセットボタン２６やキャンセルボタン２８などの各種の操作ボタンを備えている。操作パネル１２０は、独自に電源を備えているとともに、プリンタ１００のコントローラ等との間で無線を介して信号のやりとりをするための送受信部１２１を備えている。なお、こうした送受信を可能とするために、プリンタ１００においても図示しない送受信部を備えている。
【００４１】
次に、こうして構成された実施例２のプリンタ１００の外装カバー１１２を開放する動作について説明する。通常の使用状態においては、操作パネル１２０は第１の嵌合構造によって、凹部１１４に対して固定され、外装カバー１１２の外表面にその液晶パネル２４を提示させた状態となっている。
【００４２】
図７に示すように、外装カバー１１２を開放すると、操作パネル１２０は、凹部１１４に保持されたまま外装カバー１１２とともに持ち上げられる。外装カバー１１２の開放後、操作パネル１２０と凹部１１４との嵌合を解除して、操作パネル１２０を凹部１１５に保持する。この保持形態によれば、外装カバー１１２が開放された状態にあっては、液晶パネル２４が開放空間ＯＳ側に指向してその表示内容が提示されるように保持されることになる。
【００４３】
以上説明した本実施例によれば、操作パネル１２０が外装カバー１１２から分離可能に備えられるとともに、外装カバー１１２が開放されて形成される開放空間ＯＳに液晶パネル２４を指向させるような凹部１１５を備えるため、容易に開放空間ＯＳ側に液晶パネル２４を指向させることができる。
【００４４】
また、本実施例では、操作パネル１２０は独自の電源を有するとともに、無線でプリンタ１００のコントローラからの信号送受信が可能となっているために、操作パネル１２０を容易に分離できる。なお、本実施例の操作パネル１２０によれば、外装カバー１１２の開放時において、必ずしも凹部１１５に操作パネル１２０を固定する必要はなく、開放空間ＯＳのいずれかの操作者が参照しやすい箇所に置いて使用することもできる。
【００４５】
ここで、操作パネル１２０が本発明の分離可能な操作パネルに相当し、凹部１１５が本発明の保持手段に相当する。
【００４６】
なお、本実施例では、外装カバー１１２に形成した凹部１１４において通常時に操作パネル１２０を固定するものとしたが、操作パネル１２０はプリンタ１００の適当な箇所に固定されていればよい。また、固定形態も嵌合に限定することなく、当然に他の固定形態を採用できる。なお、単にプリンタ１００上の一部に載置又は係止する形態も本発明における固定形態に包含されるものとする。また、操作パネル１２０の設置箇所も、通常時及び開放時のいずれにおいても、２箇所以上設定することもできる。
【００４７】
また、本実施例では、操作パネル１２０の通常時の設置箇所を開閉される外装カバー１１２の一部としたが、本発明はこれに限定するものではなく、通常の設置箇所は、他の部位、例えば、開閉されない外装部位としてもよい。また、本実施例では、外装カバー１１２の開放時において、操作パネル１２０の設置箇所を開放空間ＯＳの内部としたが、当該箇所には限定されないし、開放された外装カバー１１２の一部としてもよい。
【００４８】
本実施例では、操作パネル１２０は独自の電源を有し、無線によってプリンタ１００のコントローラと信号の送受信をすることとしたが、これに限定するものではない。電源及び／又は信号用のドローイングワイヤによって操作パネル１２０を通常の設置箇所から分離可能とすることもできる。
【００４９】
以上説明した実施例１及び２では、電気機器としてカラーレーザプリンタを具体例に挙げて説明したが、電気機器としてはこれに限定されないで、色毎に感光体，現像器を持つタンデム方式等の他のカラーレーザプリンタであってもよい。さらに、画像形成装置としては、モノクロレーザプリンタ、カラーレーザプリンタやインクジェットプリンタなどの各種のプリンタに適用してもよく、複写機、スキャナ、ファクシミリなどプリンタ以外の機能を単独で備える画像関連電気機器あるいは印刷機能とこれらのうちの一つ以上の機能を兼ね備える複合機に適用することができる。さらに、電気機器としては、電卓や固定電話機などが挙げられる。
【００５０】
以上、本発明の実施の形態について実施例１及び２を用いて説明したが、本発明はこうした実施例に何等限定されるものではなく、本発明の要旨を逸脱しない範囲内において、種々なる形態で実施し得ることは勿論である。
【図面の簡単な説明】
【００５１】
【図１】プリンタの概略を示す図。
【図２】操作パネルの装着状態の詳細を示す図。
【図３】操作パネルを回転させるリンク機構を示す図。
【図４】プリンタの外装カバーの開放に付随する動作を示す図。
【図５】操作パネルの他の装着状態を示す図。
【図６】プリンタの他の実施例の概略を示す図。
【図７】外装カバー開放時の操作パネルの保持状態を示す図。
【符号の説明】
【００５２】
１０，１００  カラーレーザプリンタ、１２，１１２  外装カバー、１０ａ  回動軸、１４，１１４  凹部、３０ａ，３０ｂ，４０ａ，４０ｂ  回転軸、２０，１２０  操作パネル、２４  液晶パネル、２６  リセットボタン、２８  キャンセルボタン、１６ａ，１６ｂ  支持凹部、３０ｃ  ブラケット、３２  ワイヤハーネス、３４  リンク機構、３６  円盤、３８  スプロケットアーム、４０  第１アーム、４２  第２アーム、１１４，１１５  凹部
【図１】
2006264281.tif 000003
【図２】
2006264281.tif 000004
【図３】
2006264281.tif 000005
【図４】
2006264281.tif 000006
【図５】
2006264281.tif 000007
【図６】
2006264281.tif 000008
【図７】
2006264281.tif 000009